(57)【要約】【課題】  二次コイルの巻き終りが接続される接続端子の電線接続部をケースの内壁から離反する方向に配置した構造の内燃機関用点火コイルを提供する。【解決手段】  外側に突出した高圧筒部を有し、少なくとも一次コイル１２及び二次コイル２１をそれぞれ巻回し、同心状に配設した筒状の一次コイルボビン１２ａ及び二次コイルボビン２４を磁気的に結合する鉄心１５，１６と、外部に出カされる高圧端子と、一端に二次コイル２１の線材の巻き終りの端末が接続され他端が高圧端子と当接して高圧端子と二次コイルとを電気的に接続する接続端子１７と、これらを収納する絶縁ケース２２により構成され高圧筒部と二次コイルの軸が略直角に交差して配置された内燃機関用点火コイル装置であって、接続端子１７は、Ｃ字状の中央部分１７ｂの両端がそれぞれ折れ曲がって鈍角に延びた形状であり、前記Ｃ字状の中央部分１７ｂが前記二次コイルボビン２４の軸２４ａに嵌合されて取り付けられるようにしたものである。【選択図】  図１
2006245078.tif 000002
【特許請求の範囲】
【請求項１】
外側に突出した高圧筒部を有し、少なくとも一次コイル及び二次コイルをそれぞれ巻回し、同心状に配設した筒状の一次コイルボビン及び二次コイルボビンを磁気的に結合する鉄心と、外部に出カされる高圧端子と、一端に二次コイルの線材の巻き終りの端末が接続され他端が高圧端子と当接して高圧端子と二次コイルとを電気的に接続する接続端子と、これらを収納する絶縁ケースにより構成され高圧筒部と二次コイルの軸が略直角に交差して配置された内燃機関用点火コイル装置であって、前記接続端子は、Ｃ字状の中央部分の両端がそれぞれ折れ曲がって鈍角に延びた形状であり、前記Ｃ字状の中央部分が前記二次コイルボビンの軸に嵌合されて取り付けられていることを特徴とした内燃機関用点火コイル装置。
【請求項２】
前記二次コイルの巻き終りが接続される接続端子の電線接続部は、絶縁ケースの上部の開口側の空きスペースに配置されている請求項１に記載の内燃機関用点火コイル装置。
【発明の詳細な説明】
【技術分野】
【０００１】
本発明は、例えば自動車のエンジンの点火プラグにおいて火花放電を発生させるために高電圧を供給するモールド型の内燃機関用点火コイルに関するものである。
【背景技術】
【０００２】
従来、外側に突出した高圧筒部を有し、少なくとも一次コイル及び二次コイルをそれぞれ巻回し、同心状に配設した筒状の一次コイルボビン及び二次コイルボビンを磁気的に結合する鉄心部と、外部に出カされる高圧端子と、その高圧端子と二次コイルの一端とを接続する接続端子、これらを収納する絶縁ケースにより構成され高圧筒部と二次コイルの軸が略直角に交差して配置された内燃機関用点火コイル装置であって、高圧端子と電気的に接続される二次コイル一端の接続端子を、前記絶縁ケースの内周と、前記高圧筒部の内周に設けたガイド部にて位置決めを行う内燃機関用点火コイルが知られている。（特許文献１参照）
【０００３】
上記従来の構造を、図２（ａ），（ｂ）に示す。図２（ａ）は従来の内燃機関用点火コイルの正面から見た概略断面図、図２（ｂ）は図１（ａ）の内燃機関用点火コイルの側面から見た概略断面図である。図２（ａ），（ｂ）において、二次コイル２１は略球形状であり、また、絶縁ケース２２の一部（底部）は二次コイル２１の一部を収納する。接続端子としては、先端から所定長さの位置でＵ字状に折り曲げられ、さらにＵ字の根元の近傍の位置で鈍角に折り曲げられた接続端子２３が使用されている。また、二次コイルボビン２４の一端側には、接続端子２３のＵ字部分２３ａの中央部分の嵌合溝２５を有する接続端子収納部２６が成形されており、接続端子２３は二次コイルボビン２４の接続端子収納部２６の嵌合溝２５に線材の部分が外周まで埋設する形態で嵌合されて固定されている。二次コイル２１の巻き終りは、接続端子２３のＵ字部分２３ａの先端に巻き付けられ、接続端子２３の他端は図示しない高圧端子と電気的に接続されている。
【特許文献１】特開２００３−９２２２５号公報
【発明の開示】
【発明が解決しようとする課題】
【０００４】
上記従来の内燃機関用点火コイルでは、二次コイルボビンの接続端子収納部の嵌合溝に接続端子の線材の部分が外周まで埋設する形態で嵌合させているため、二次コイルボビンの嵌合溝は精度が要求されるため、バリがあるときには、その除去に手間を要し、また、二次コイルボビンの素材も接続端子収納部に弾性をもたせるため、弾性を有する部材に限定される等、設計上の制限がある。
【０００５】
しかも、二次コイルボビンの接続端子収納部に、接続端子を収納した状態では、二次コイルの巻き終りが巻き付けられる接続端子のＵ字部分の先端の電線接続部とケースまでの絶縁距離が少なく、外部にリークする恐れがある。従来の構成の場合、絶縁距離を稼ぐためにはケースを大きくするか、電線接続部を曲げ絶縁ケースとの絶縁距離を確保する必要があり、前述ではコイルが大型化となりコスト的に不利になる。また後述の電線接続部を曲げると二次コイルの線材が緩み巻線不良となる恐れがあり、改善が望まれていた。
【０００６】
従って、本発明が解決しようとする課題の一つは、二次コイルボビンへの接続端子の取付け構造を改良して、バリがあっても、その除去が不要であり、また、二次コイルボビンの素材も弾性を有する部材に限定されない内燃機関用点火コイルの提供である。
【０００７】
また、本発明が解決しようとする課題の他の一つは、二次コイルの巻き終りが接続される接続端子の電線接続部をケースの内壁から離反する方向に配置した構造の内燃機関用点火コイルの提供である。
【課題を解決するための手段】
【０００８】
上記課題を解決するために請求項１に記載の発明は、外側に突出した高圧筒部を有し、少なくとも一次コイル及び二次コイルをそれぞれ巻回し、同心状に配設した筒状の一次コイルボビン及び二次コイルボビンを磁気的に結合する鉄心と、外部に出カされる高圧端子と、一端に二次コイルの線材の巻き終りの端末が接続され他端が高圧端子と当接して高圧端子と二次コイルとを電気的に接続する接続端子と、これらを収納する絶縁ケースにより構成され高圧筒部と二次コイルの軸が略直角に交差して配置された内燃機関用点火コイル装置であって、前記接続端子は、Ｃ字状の中央部分の両端がそれぞれ折れ曲がって鈍角に延びた形状であり、前記Ｃ字状の中央部分が前記二次コイルボビンの軸に嵌合されて取り付けられていることを特徴とした内燃機関用点火コイル装置である。
【０００９】
また、請求項２に記載の発明は、前記二次コイルの巻き終りが接続される接続端子の電線接続部は、絶縁ケースの上部の開口側の空きスペースに配置されている請求項１に記載の内燃機関用点火コイル装置である。
【発明の効果】
【００１０】
本発明の内燃機関用点火コイルによれば、前記接続端子は、Ｃ字状の中央部分の両端でそれぞれ折り曲げられて先端まで直線状に延びたひ字状に形成され、Ｃ字状の中央部分は弾性を有して、二次コイルボビンの軸に嵌合して取り付けられるので、二次コイルボビンの接続端子収納部が不要となり、二次コイルボビンはバリがあっても、その除去が不要であり、また、二次コイルボビンの素材も弾性部材に限定されない。
【００１１】
また、二次コイルの接続端子の電線接続部は、二次コイルと離れた位置にある絶縁ケースの上部の空きスペースの位置に配置でき、接続端子の電線接続部は絶縁ケースの外側との絶縁距離を確保することができる。
【００１２】
以下、図面に基づいて本発明の実施の形態を説明する。図１（ａ）は本発明に係る実施の形態の内燃機関用点火コイルの正面から見た概略断面図、図１（ｂ）は図１（ａ）の内燃機関用点火コイルの側面から見た概略断面図である。ただし、図１に用いる符号は、図２と同様の機能を持つものについては、同じ符号を用いるものとする。
【００１３】
図１において、上面が開口した絶縁ケース２２は、その側壁２２ａに高圧筒部１１を外側に突出した形状であり、高圧筒部１１には、図示しない高圧端子を嵌めて収納している。絶縁ケース２２中には、一次コイル１２が巻回された筒状の一次コイルボビン１２ａと二次コイル２１が巻回された筒状の二次コイルボビン２４とが、同心状に配設されて収容されている。一次コイル１２に接続されている端子ピン１４には、二次コイル２１の巻き始め先端の線材２７ａが巻き付けられて、一次コイル１２は二次コイル２１に接続されている。また、高圧筒部１１と二次コイル１２の軸は略直角に交差して配置されている。
【００１４】
また、一次コイルボビン１２ａ及び二次コイルボビン２４は鉄心１５，１６により磁気的に結合している。接続端子１７は、Ｃ字状の中央部分１７ｂの両端でそれぞれ折れ曲がって鈍角に先端までに延びた形状で先端の直線部１７ａ，１７ａの一端に二次コイル２１の巻き終りの端末の線材２７ｂが巻き付けられて接続され、前記Ｃ字状の中央部分が前記二次コイルボビン２４の軸２４ａに嵌合されて取り付けられている。接続端子１７の他端は図示しない高圧端子と電気的に接続されている。そして、絶縁ケース２２内は、エポキシ等の熱硬化性の絶縁樹脂（層）１８で電気的に絶縁されている。
【００１５】
このように接続端子１７は、Ｃ字状の中央部分１７ｂの両端でそれぞれ折り曲げられてひ字状に形成されていて、このＣ字状の中央部分１７ｂは弾性を有して、二次コイルボビン２４の軸２４ａに嵌合して取り付けられる。したがって、二次コイルボビン２４の軸２４ａにバリがあっても、その除去が不要であり、また、二次コイルボビンの素材も弾性を有する部材に限定されない。このように二次コイルボビン２４には、接続端子１７を取り付ける為の、従来のような接続端子収納部が不要となっているので、二次コイルボビン２４の形状は簡略化されている。
【００１６】
また、二次コイル２１の巻き終りの端末の線材２７ｂが巻き付けられて接続される接続端子１７の電線接続部１７ａは、二次コイル２１と離れた位置にある絶縁ケース２２の上部の開口側の空きスペース２２ｂの位置に配置されるため、接続端子１７の電線接続部となる先端の直線部１７ａは絶縁ケース２２の外側との絶縁距離を確保することができる。
【００１７】
本発明は前記実施例に限定されるものではなく、特許請求の範囲に記載された本発明を逸脱することがなければ、種々の設計変更が可能であり、前記実施例に限定されないことはいうまでもない。
【図面の簡単な説明】
【００１８】
【図１】（ａ）は本発明に係る実施の形態の内燃機関用点火コイルの正面から見た概略断面図、（ｂ）は図１（ａ）の内燃機関用点火コイルの側面から見た概略断面図である。
【図２】（ａ）は従来の内燃機関用点火コイルの正面から見た概略断面図、（ｂ）は図１（ａ）の内燃機関用点火コイルの側面から見た概略断面図である。
【符号の説明】
【００１９】
１１  高圧筒部
１２  一次コイル
１２ａ  一次コイルボビン
１３  底部
１４  端子ピン
１５，１６  鉄心
１７，２３  接続端子
１７ａ  先端の直線部
１７ｂ  Ｃ字状の中央部分
１８  絶縁樹脂（層）
２１  二次コイル
２２  絶縁ケース
２２ａ  側壁
２３ａ  Ｕ字部分
２４  二次コイルボビン
２４ａ  二次コイルボビンの軸
２５  嵌合溝
２６  接続端子収納部
２７ａ，２７ｂ  線材
【図１】
2006245078.tif 000003
【図２】
2006245078.tif 000004